(57)【要約】【課題】  被取付物が飛んでくるのを防止し、安全に剥がし取ることができる延伸剥離テープを提供する。【解決手段】  テープ基材３１の一端側３１ａに把持部３２，３３を設け、他端側３１ｂに傾斜切れ目３４からなる切れ目を設けて、延伸剥離テープ３０を引き剥がしていった際に、傾斜切れ目３４によって一端側３１ａに係る引張方向と他端側３１ｂに係る引張方向とを所定角度ずれた位置に変位させる。【選択図】  図１
2006169389.tif 000002
【特許請求の範囲】
【請求項１】
ゴム弾性を有するテープ基材の両面に粘着剤を塗布したものからなり、壁面などの被取付面に対して吊下具などの被取付物を貼り付ける両面粘着テープであって、上記両面粘着テープの一端側には、上記両面粘着テープを引き剥がす際の把持部が設けられ、上記把持部を上記被取付面とほぼ平行な方向に引っ張って上記被取付面から引き剥がし可能な延伸剥離テープにおいて、
上記両面粘着テープの反把持部側には、上記把持部側にかけられる引張応力と上記反把持部側にかけられる引張応力とを所定角度ずれた位置に変位させる切れ目が設けられていることを特徴とする延伸剥離テープ。
【請求項２】
上記切れ目は、上記両面粘着テープの他端側のいずれか一方の角部を始端とする傾斜切れ目からなることを特徴とする請求項１に記載の延伸剥離テープ。
【請求項３】
上記傾斜切れ目は、上記テープの中心軸線に対して４５°の傾斜角をもって形成されていることを特徴とする請求項２に記載の延伸剥離テープ。
【請求項４】
上記傾斜切れ目の終端は、上記両面粘着テープの全幅に対して１／２〜２／３の位置に設けられていることを特徴とする請求項２または３に記載の延伸剥離テープ。
【発明の詳細な説明】
【技術分野】
【０００１】
本発明は、被取付面に沿って平行に引っ張って剥がす延伸剥離テープに関し、さらに詳しく言えば、より安全に引き剥がすことができる延伸剥離テープに関する。
【背景技術】
【０００２】
フックなどの吊下具を壁面に取り付ける手段の一例として、両面粘着テープがある。通常、この両面粘着テープは、例えば樹脂フィルムからなるテープ基材の両面に粘着財を一様に塗布したものが手軽に用いられている。
【０００３】
しかしながら、この両面粘着テープでは剥がし取る際に、粘着面が壁面に強固に貼り付き、無理矢理に剥がそうとすると、壁面を傷付けたり、糊残りするおそれがある。
【０００４】
そこで、最近では発泡樹脂やゴムなどからなる高弾性のテープ基材の両面に粘着剤を塗布した、いわゆる延伸剥離テープ（例えば、特許文献１参照）が一部使用されている。この延伸剥離テープは、剥がし方に特徴があり、図５にその延伸剥離テープを用いた吊下具の一例を示す。
【０００５】
この吊下具１は、前面（図５では左側面）に支持要素としてのフック部２を備え、背面側（図５では右側面）が延伸剥離テープ３を介して壁面Ｗに貼り付けられる。
【０００６】
この延伸剥離テープ３によれば、図６に示すように、そのテープ端部（図５では下端）の把持部３ａを指Ｆで持って、壁面に沿って平行に、下側に引っ張ることで、壁面Ｗを傷付けることなく、また糊残りを生ずることなくきれいに剥がし取ることができる。
【０００７】
しかしながら、延伸剥離テープ３を用いた場合には次のような問題が指摘されている。すなわち、図６に示すように、把持部３ａを指Ｆで把持した状態で壁面Ｗに沿って平行に引っ張ると、延伸剥離テープ３は、把持側から徐々に細幅にくびれ始め、上端側に向かってくびれが進行しつつ、壁面Ｗと剥離し、最後には延伸剥離テープ３が吊下具１を伴って剥がれ落ちる。
【０００８】
このとき、延伸剥離テープ３は高弾性を示すため、その弾性復元力による収縮によって延伸剥離テープ３に貼り付いた吊下具１が指Ｆに向かって勢いよく飛んでくることがあり、指や爪を痛めることがある。
【０００９】
【特許文献１】独国特許第ＤＥ３３３１０１６号公報
【発明の開示】
【発明が解決しようとする課題】
【００１０】
そこで、本発明は上述した課題を解決するためになされたものであって、その目的は、被取付物が飛んでくるのを防止し、安全に剥がし取ることができる延伸剥離テープを提供することにある。
【課題を解決するための手段】
【００１１】
上述した目的を達成するため、本発明は以下に示すいくつかの特徴を備えている。請求項１に記載の発明は、ゴム弾性を有するテープ基材の両面に粘着剤を塗布したものからなり、壁面などの被取付面に対して吊下具などの被取付物を貼り付ける両面粘着テープであって、上記両面粘着テープの一端側には、上記両面粘着テープを引き剥がす際の把持部が設けられ、上記把持部を上記被取付面とほぼ平行な方向に引っ張って上記被取付面から引き剥がし可能な延伸剥離テープにおいて、上記両面粘着テープの反把持部側には、上記把持部側にかけられる引張応力と上記反把持部側にかけられる引張応力とを所定角度ずれた位置に変位させる切れ目が設けられていることを特徴としている。
【００１２】
請求項２に記載の発明は、上記請求項１において、上記切れ目は上記両面粘着テープの他端側のいずれか一方の角部を始端とする傾斜切れ目からなることを特徴としている。また、これ以外に例えば切欠溝や切欠孔など延伸剥離テープの一端側と他端側の引張方向を変位させる作用が奏されるものであれば適宜選択できる。
【００１３】
請求項３に記載の発明は、上記請求項１または２において、上記傾斜切れ目は上記テープの中心軸線に対して４５°の傾斜角をもって形成されていることを特徴としている。
【００１４】
請求項４に記載の発明は、上記請求項１，２または３において、上記傾斜切れ目の終端は、上記両面粘着テープの全幅に対して２／３の位置に設けられていることを特徴としている。
【発明の効果】
【００１５】
請求項１に記載の発明によれば、引張力の半分以上が未切断部に加わるため、被取付面に沿って平行に引き剥がしていった場合、剥離が切れ目まで達すると、延伸剥離テープの一部が切れ目に沿って斜めに傾斜し、そのままの状態でさらに引き剥がし続けると、先端側が引張方向に対して斜めに剥離するため、一端側（把持側）と他端側（剥離側）との間の引張方向に変位が生じ、テープに付着した被取付具が把持側に向かって飛んでこない。
【００１６】
請求項２に記載の発明によれば、引張応力に対して最も応力集中する角部から傾斜切れ目が始まることで、上述した延伸剥離テープの傾斜効果が最大限発揮される。請求項３および４に記載の発明によれば、傾斜切れ目を４５°とし、さらに全幅に対して２／３の位置に至るまで形成したことにより、傾斜切れ目にかかる引張応力が最も効率よく、一端側と他端側の変位差が大きい。
【発明を実施するための最良の形態】
【００１７】
次に、本発明の具体的な実施形態について図面を参照しながら説明する。図１は本発明の一実施形態に係る延伸剥離テープの分解斜視図であり、図２はそのＡ−Ａ線断面であり、図３は正面図である。
【００１８】
この延伸剥離テープ３０は、例えばゴムなどの高弾性特性を有するテープ基材３１の両面に粘着剤を塗布した両面粘着テープであり、各粘着面には、粘着面を保護するためのセパレータ４１，４２が剥離可能に設けられている。
【００１９】
この実施形態において、延伸剥離テープ３０は、厚さ１４０μｍのエチレン−酢酸ビニル共重合体フィルムからなるテープ基材３１の両面にアクリル系粘着剤を５０μｍ厚で一様に塗布したものが用いられているが、テープ基材３１および粘着剤は特に制限なく、いわゆる延伸剥離作用を奏するものであれば、適宜選択可能である。
【００２０】
図２に示すように、テープ基材３１の一端側３１ａ（図３（ａ）では下端側）には、延伸剥離テープ３０を引き剥がす際に指などによって把持される把持部３２，３３が設けられている。
【００２１】
把持部３２，３３は、テープ基材３１の下端側の各粘着面に貼着されたフィルム片からなり、テープ基材３１に沿ってＵ字状に形成され、その表面には引張方向を明示するための矢印マークが印刷されている。
【００２２】
テープ基材３１の他端側３１ｂ（図３（ａ）では上端側）には、把持部３２，３３を把持して延伸剥離テープ３０を引き剥がしていった際に、一端側３１ａに係る引張応力と他端側３１ｂに係る引張応力とを異なった方向に変位させる切れ目３４が設けられている。
【００２３】
図３（ａ）に示すように、切れ目３４はテープ基材３１の他端側３１ｂからテープ基材３１の中心軸線Ｌに向けて所定の傾斜角θを持って斜め下方向に切り込まれた傾斜切れ目３４からなる。
【００２４】
この実施形態において、傾斜切れ目３４は、始端３４ａが延伸剥離テープ３０の他端側３１ｂの一方の角部から傾斜角θが４５°で切り込まれ、終端３４ｂが延伸剥離テープ３０の全幅の２／３の位置に形成されている。なお、始端３４ａは、テープ基材３１のいずれか一方の角部から切り込まれていることが好ましい。
【００２５】
この例において、切れ目３４は傾斜切れ目からなるが、これ以外に図３（ｂ）に示すように例えばＵ状やＶ字状の切欠溝（スリット溝）であってもよい。さらには図３（ｃ）に示すように、水平方向に切れ目３４を入れてもよく、一端側３１ａに係る引張方向と他端側３１ｂに係る引張方向とを互いに異なる方向に変位させる効果が得られるものであれば、適宜選択できる。
【００２６】
また、傾斜切れ目３４の傾斜角θは４５°に設定されているが、傾斜角θは少なくとも０°＜θ＜９０°を満足すればよい。さらには、傾斜切れ目３４の終端３４ｂは、延伸剥離テープ３０の全幅に対して２／３の位置に設けられているが、少なくとも延伸剥離テープ３０の全幅に対して１／２〜２／３の範囲内に設けてあればよい。
【００２７】
次に、延伸剥離テープ３０の使用手順の一例について説明する。この延伸剥離テープ３０を使用するに当たっては、まず、一方のセパレータ４１を剥がし、図示しない例えば吊下具などの被取付具の貼着面に一方の粘着面を貼り付ける。次に、他方のセパレータ４２を剥がした粘着面を図示しない壁面に対して押し付けることで、簡単に装着することができる。
【００２８】
延伸剥離テープ３０を壁面から除去するに当たっては、図４（ａ）に示すように延伸剥離テープ３０の下端側にある把持部３２，３３をつまみ、壁面に沿って平行に下方に引っ張る。
【００２９】
下方に引っ張ると、延伸剥離テープ３０は把持部３２，３３側から徐々にくびれ始め、細幅となり、その部分から剥がれ始める。さらに引き剥がして行くと、くびれは先端側に向かって移動して行き、くびれの先端が傾斜切れ目３４の下端まで達したとき、図４（ｂ）に示すように、延伸剥離テープ３０の一部が傾斜切れ目３４に沿って切り離される。
【００３０】
この状態のままさらに引き剥がし続けると、傾斜切れ目３４によって延伸剥離テープ３４の先端側３１ａと把持部側３１ｂとが中心軸線Ｌに対して斜めに傾斜し、把持部３２，３３側の係る引張方向と、先端側に係る引張方向が互いに変位された状態のまま先端側が剥がれ落ちる。
【００３１】
これにより、延伸剥離テープ３０の先端側に付着した図示しない吊下具などの被取付具が延伸剥離テープが弾性復元力によって縮んでも、指Ｆに向かって飛んでくることがない。
【００３２】
以上説明したように、本発明によれば、吊下具などを壁面に貼り付けて支持するために用いられる延伸剥離テープであって、両面粘着テープの他端側に両面粘着テープを引き剥がしていった際に、一端側（把持部側）の引張方向に対して他端側（切れ目側）の引張方向を所定角度ずれた位置に変位させる切れ目が設けられていることにより、剥離後に延伸剥離テープが弾性復元力によって縮んでも被取付具が手先に向かって飛んでくることはない。
【図面の簡単な説明】
【００３３】
【図１】本発明の一実施形態に係る延伸剥離テープの分解斜視図。
【図２】上記実施形態の延伸剥離テープのＡ−Ａ線断面。
【図３】上記実施形態の延伸剥離テープの正面図および切れ目の変形図。
【図４】上記実施形態の延伸剥離テープの作用効果を説明する説明図。
【図５】従来の延伸剥離テープの使用態様を説明する説明図。
【図６】従来の延伸剥離テープの剥がし方を説明する説明図。
【符号の説明】
【００３４】
１  吊下具
２  フック
３，３０  延伸剥離テープ
３１  テープ基材
３２，３３  把持部
３４  切れ目（傾斜切れ目）
４１，４２  セパレータ
Ｆ  指
Ｗ  壁面
【図１】
2006169389.tif 000003
【図２】
2006169389.tif 000004
【図３】
2006169389.tif 000005
【図４】
2006169389.tif 000006
【図５】
2006169389.tif 000007
【図６】
2006169389.tif 000008